(57)【特許請求の範囲】
【請求項１】
対象人物の身体上部の一点である計測点の位置情報を取得する位置情報取得部と、
前記位置情報の変化を示す移動ベクトルを算出する移動ベクトル算出部と、
前記移動ベクトルの垂直方向成分である垂直移動データに基づいて前記計測点の下降を検出する下降検出部と、
前記移動ベクトルの水平方向成分である水平移動データに基づいて前記計測点の反転を検出する反転検出部と、
前記下降検出部が下降を検出し、かつ前記反転検出部が反転を検出しなかったとき、危険状態と判定する危険状態判定部と、
前記危険状態判定部の判定結果に応じて危険情報を出力する出力部と
を備えることを特徴とする危険検知装置。
【請求項２】
位置情報取得部と、移動ベクトル算出部と、下降検出部と、反転検出部と、危険状態判定部と、出力部、を備える危険検知方法であって、  
前記位置情報取得部が、対象人物の身体上部の一点である計測点の位置情報を取得する位置情報取得ステップと、
前記移動ベクトル算出部が、前記位置情報の変化を示す移動ベクトルを算出する移動ベクトル算出ステップと、
前記下降検出部が、前記移動ベクトルの垂直方向成分である垂直移動データに基づいて前記計測点の下降を検出する下降検出ステップと、
前記反転検出部が、前記移動ベクトルの水平方向成分である水平移動データに基づいて前記計測点の反転を検出する反転検出ステップと、
前記危険状態判定部が、前記下降検出ステップで下降と検出され、かつ前記反転検出ステップで反転と検出されなかったとき、危険状態と判定する危険状態判定ステップと、
前記出力部が、前記危険状態判定ステップの判定結果に応じて危険情報を出力する出力ステップとを有することを特徴とする危険検知方法。
【発明の詳細な説明】
【技術分野】
【０００１】
本発明は、転倒などの危険状態の検出を行う危険検知装置及び危険検知方法に関する。
【背景技術】
【０００２】
従来、高齢者を見守るためのカメラやセンサを設置して、長時間動きの無い場合に危険状態と判断する安全装置が知られている。また、危険状態を即座に検知する転倒検知装置も提案されている（例えば、特許文献１参照）。
【先行技術文献】
【特許文献】
【０００３】
【特許文献１】特開２００８−９４９８号公報
【発明の概要】
【発明が解決しようとする課題】
【０００４】
特許文献１に記載の転倒検知装置は、肩の位置を検出し、その垂直方向の変化量が大きい場合に転倒したと判断する。このような判断は、特許文献１に例示されたエスカレータ上などの場所では有効である。しかしながら、浴室やトイレ、居室などの室内では椅子などに座ることがあり、転倒でなくても肩が垂直方向に変化する場合がある。特許文献１に記載の転倒検知装置は、このような座ったときにも、転倒と誤検出してしまう恐れがあるという問題があった。
【０００５】
そこで、本発明が解決しようとする課題は、危険状態を短時間で、かつ精度よく検知することが可能な危険検知装置を提供することにある。
【課題を解決するための手段】
【０００６】
上記の課題を解決するために、本願発明は以下の装置、方法を提供するものである。１）  対象人物の身体上部の一点である計測点の位置情報を取得する位置情報取得部（１０１）と、前記位置情報の変化を示す移動ベクトルを算出する移動ベクトル算出部（１０２）と、前記移動ベクトルの垂直方向成分である垂直移動データに基づいて前記計測点の下降を検出する下降検出部（１０３）と、前記移動ベクトルの水平方向成分である水平移動データに基づいて前記計測点の反転を検出する反転検出部（１０４）と、前記下降検出部が下降を検出し、かつ前記反転検出部が反転を検出しなかったとき、危険状態と判定する危険状態判定部（１０６）と、前記危険状態判定部の判定結果に応じて危険情報を出力する出力部（１０７）とを備えることを特徴とする危険検知装置。
２）位置情報取得部と、移動ベクトル算出部と、下降検出部と、反転検出部と、危険状態判定部と、出力部、を備える危険検知方法であって、前記位置情報取得部が、対象人物の身体上部の一点である計測点の位置情報を取得する位置情報取得ステップ（ステップＳ５０３）と、前記移動ベクトル算出部が、前記位置情報の変化を示す移動ベクトルを算出する移動ベクトル算出ステップ（ステップＳ５０４）と、前記下降検出部が、前記移動ベクトルの垂直方向成分である垂直移動データに基づいて前記計測点の下降を検出する下降検出ステップ（ステップＳ５０５）と、前記反転検出部が、前記移動ベクトルの水平方向成分である水平移動データに基づいて前記計測点の反転を検出する反転検出ステップ（ステップＳ５０６）と、前記危険状態判定部が、前記下降検出ステップで下降と検出され、かつ前記反転検出ステップで反転と検出されなかったとき、危険状態と判定する危険状態判定ステップ（ステップＳ５０６）と、前記出力部が、前記危険状態判定ステップの判定結果に応じて危険情報を出力する出力ステップ（ステップＳ５０７）とを有することを特徴とする危険検知方法。
【発明の効果】
【０００７】
本発明によれば、危険な状態を短時間で、かつ精度よく検知することが可能な危険検知装置を提供することができる。
【図面の簡単な説明】
【０００８】
【図１】本発明の実施の形態における危険検知装置を示すブロック構成図である。
【図２】位置情報取得部の設置状態を示す模式図である。
【図３】本発明の実施の形態における危険検知置を用いた危険検知システムのシステム構成図である。
【図４】本発明の実施の形態における計測点の反転を示す模式図である。
【図５】本発明の実施の形態における危険検知装置における危険状態の判断のフローチャートの例である。
【図６】座る動作における頭部の位置を示す模式図である。
【図７】転倒時の頭部の位置を示す模式図である。
【図８】位置情報取得部で取得した頭部の位置情報と移動ベクトルの例である。
【図９】停止位置認識部で用いる寄りかかり領域の例である。
【発明を実施するための形態】
【０００９】
以下、本発明の危険検知装置について、実施の形態に基づき添付図面を参照して説明する。
＜構成＞
図１は、本実施形態の危険検知装置１０を示すブロック構成図である。位置情報取得部１０１は、見守り対象の人物（以下、対象人物とする）の身体上部の一点を計測点とし、計測点の位置情報である三次元座標データを所定の間隔で取得する。計測点はたとえば頭部であるが、これに限らず、肩部、胸部など、身体上部の一点であればよい。
【００１０】
位置情報取得部１０１は、たとえば三次元計測が可能なステレオカメラやTOF(Time-of-Flight、距離画像)カメラなどの撮像部と画像認識部とで構成し、撮像部で対象人物全体とその頭部の画像を撮像し、画像認識部で画像認識を行って頭部を識別し、頭部の三次元座標データを取得する。また、別の例として位置情報取得部１０１を天井に設置した超音波センサとカメラとで構成し、超音波センサで頭部の垂直方向の高さを取得するとともに、カメラで頭部の水平方向の位置情報を取得してもよい。さらに、装着型の発信器を頭部や肩に装着したり胸ポケットに入れ、これをセンサで検出する構成としてもよい。これらの技術は、たとえば特開２００２−３５２２３１号などに詳細が開示された公知の技術であり、本願では説明を省略する。
【００１１】
本実施の形態における位置情報検出部１０１の設置状態を図２に示す。本実施の形態では、浴槽２０１の上部の天井２０２に、位置情報取得部１０１の撮像部としてステレオカメラ２０３を設けている。ステレオカメラ２０３の設置位置は天井２０２に限らず、壁面でもよく、浴室内の全体を撮像できる位置であればよい。位置情報取得部１０１は、ステレオカメラ２０３で撮像した画像から、画像認識により対象人物の頭部の位置情報として三次元座標データを取得し、取得した頭部の三次元座標データを移動ベクトル算出部１０２へ送る。
【００１２】
移動ベクトル算出部１０２は、位置情報取得部１０１で取得した頭部の三次元座標データから、単位時間ごとの差分を計算し、三次元の移動ベクトルを算出する。単位時間は位置情報取得部１０１の三次元座標データの取得タイミングと同一であってもよいが、後述の座ったときと転倒したときの移動ベクトルを検出するのに好適な単位時間を別途設定し、設定した単位時間ごとに差分を計算してもよい。
【００１３】
移動ベクトル算出部１０２はまた、算出した移動ベクトルからその水平方向成分である水平移動データと、垂直方向成分である垂直移動データとを抽出する。そして抽出した垂直移動データを下降検出部１０３へ送り、水平移動データを反転検出部１０４へ送る。
【００１４】
下降検出部１０３は、移動ベクトル算出部１０２でから送られた垂直移動データが、いったん所定の閾値を超えて下降したのちに停止したとき、計測点が下降したものと検出する。
【００１５】
水平方向ベクトル反転検出部１０４は、移動ベクトル算出部１０２から送られた水平移動データに基づいて、計測点の反転を検出する。ここで反転とは、図４ａ）に示すように、ある時点での移動ベクトル４１の水平方向成分の方向を基準（０°）としたとき、図４ｂ）に示す次の時点での移動ベクトル４２の水平方向成分の方向が補助線４３の１５０°から補助線４４の２１０°の角度範囲内であるときを反転であるとする。
【００１６】
危険状態判定部１０６は、下降検出部１０３の検出結果と、反転検出部１０４の検出結果と、停止位置認識部１０５の認識した位置とから、対象人物の状態が危険状態かどうかを判定する。判定の詳細については後述する。
【００１７】
出力部１０７は、検出された危険情報を出力する。危険情報の出力は、たとえば警告音を発したり回転灯を点灯させたりすることにより行う。これにより、周囲の人間が様子を見たり救助を行うことができる。
＜危険状態の判定方法＞
ここで本実施の形態における危険状態の判定の方法について説明する。本実施の形態では、危険状態とは、不注意、或いは何らかの疾患により意識障害が発生するなどして、急に転倒する状態を指すものとする。このようなケースでは、人体は、床に倒れたり、何かにもたれるように下降する。
【００１８】
一方、通常の座ったりする動作でも人体が下降するので、こういった動作が頻繁になされる室内などで危険状態を検出しようとする場合は、これらを混同することなく検出処理を行わなければならない。そのため、本実施の形態の危険検知装置では、身体上部の移動ベクトルを用いて計測点の反転を検出する。
【００１９】
図６に、椅子６２に座るときの対象人物の姿勢６１を示す。椅子に座る場合、人体がバランス（重心）をとりながら動く。最初の姿勢６１ａから、まず頭を前方に倒してかがんだ姿勢６１ｂとなり、それから足を曲げて体が下がって座る姿勢６１ｃとなる。このときの身体上部の動きを矢印６２で示すと、矢印６２ａから矢印６２ｂへと、「く」の字のような動きを示す。この身体上部の動きを垂直方向と水平方向の動きに分けてみると、垂直方向には下降を続け、水平方向にはいったん前方に進んで次に後方に戻る。つまり身体上部の水平方向の動きは、ある時点の前後で反転する。
【００２０】
これに対し、転倒するときの対象人物の姿勢７１を図７に示す。転倒の場合は、身体上部に複雑な動きは無く、最初の姿勢７１ａから概ね直線的に下がっていき、転倒した姿勢７１ｂとなる。このときの身体上部の水平方向の動きは、多少の方向変化はあっても、反転することは無い。
【００２１】
したがって、身体上部が下降中に水平方向に反転するか否かを検出することで、転倒と座る動作の区別をつけることができる。
【００２２】
また、めまいなどでふらついて周囲にもたれたり寄りかかるケースにおいてはやはり身体上部が「く」の字の動きを示すことがあるが、その場合は自己で対処可能な状態であるので、本発明の実施の形態においては検出の対象としないこととする。
＜作用＞
このように構成される危険検知装置１０が浴室に設置され、危険状態を検出するときの例について、図５のフローチャートに沿って説明する。本位置情報取得部１０１は、ステレオカメラで画像を撮像する（ステップＳ５０１）。そして撮像した画像から画像認識により対象人物の頭部を抽出し（ステップＳ５０２）、頭部の位置情報を単位時間ごとに三次元座標データとして取得する（ステップＳ５０３）。取得した三次元座標データの例を図８ａ）に示す。位置情報取得部１０１は、図８ａ）に示す三次元座標データを移動ベクトル検出部１０２と停止位置認識部１０５とへ送る。
【００２３】
移動ベクトル算出部１０２は、送られた三次元座標データの単位時間ごとの差分をとり、図８ｂ）に示すような、頭部の位置の変化を示す移動ベクトルを算出する（ステップＳ５０４）。移動ベクトル算出部１０２は、算出した移動ベクトルのうち、図８ｂ）のｚの行に示す垂直移動データを、下降検出部１０３に送る。
【００２４】
下降検出部１０３は、垂直移動データの単位時間当たりの下降量が閾値を超えている部分があるどうか判断する（ステップＳ５０５）。これは、頭部が少し下がったときは転倒ではないとして、頭部が大きく下がったときのみを転倒かどうか判断する危険候補とするものである。図８ｂ）の例では、閾値を−１０として、z方向成分のマイナスの値が−１０を超えた部分、すなわちＮｏ．４、５、６、７がそれに相当する。下降検出部１０３は、このようにして閾値を超えている部分を検出したら、その前後に連続する下降を示している時間の範囲を、危険候補として危険状態判定部１０６へ送る。本実施例では、Ｎｏ．３からＮｏ．７の範囲である。
【００２５】
なお、下降の判断の方法は、単位時間当たりの下降量をしきい値と比較する方法だけでなく、下降を開始してから停止するまでの総下降量をしきい値と比較する方法や、下降を停止した位置をしきい値と比較する方法など、垂直移動データを用いて下降を判断する方法であれば他の方法であってもよい。
【００２６】
移動ベクトル算出部１０２はまた、算出した移動ベクトルのうち、図８ｂ）のｘとｙの行に示す水平移動データを、反転検出部１０４に送る。反転検出部１０４は、まず送られた水平移動データから、水平方向の移動ベクトルのｘ軸との角度を算出する。図８ｂ）において、arctan(y/x)を算出することにより、移動ベクトルのｘ軸との角度を算出することができる。次に、反転検出部１０４は、連続する移動ベクトルの角度の差分を求める。そして反転検出部１０４は、求めた差分が所定の範囲内、ここでは１５０°〜２１０°の範囲にあるかどうかをみて、範囲内であれば反転であると判断し、反転した時間は危険状態判定部１０６に通知しない。図８ｂ）の例では、Ｎｏ．４の（ｘ，ｙ，ｚ）＝（５，０，−１０）とＮｏ．５の（−５，０，−３５）の間で１８０°方向が変わっているので、反転検出部１０４はこの時間は反転と判断して危険状態判定部１０６に通知しない。
【００２７】
危険状態判定部１０６は、下降検出部１０３から送られた危険候補の時間の範囲内で、反転検出部１０４から否反転の通知があるかを確認し、否反転の通知があったときは危険と判断する（ステップＳ５０６）。
【００２８】
出力部１０７は、危険状態判定部１０６が危険と判断したら、危険情報を出力する（ステップＳ５０６）。危険情報の出力は、たとえば警告音を発したり回転灯を点灯させたりすることにより行う。これにより、周囲の人間が様子を見たり救助を行うことができる。また、警告音や回転等灯の光により本人の意識が戻る可能性もある。
【００２９】
ただし、一人暮らしの高齢者の自宅に設置した危険検知装置などでは、警告音や回転灯で報知を行なっても、様子を見たり救助を行う人間がいないおそれがある。そのような場合に備え、危険検知装置をネットワークに接続し、危険検知システムを構成することも好適である。図３に危険検知システムの例を示す。自宅３０に設置した危険検知装置１０に通信部を設け、ネットワーク３１を介して介護センタ３２のセンタ装置３３に接続する。危険検知装置１０の出力部１０７が危険情報として警告信号を出力すると、その出力が通信部からネットワーク３１を介して介護センタ３２のセンタ装置２２に送られる。介護センタ３２では複数の危険検知装置１０を一箇所で集中的に見守ることができるので、常時係員を配置して見守りを行うことが容易である。そのため、センタ装置３３に危険情報が送られると、すぐに係員が様子を見に行ったり、救急車の手配を行うことができる。
【００３０】
さらに、センタ装置３３と危険検知装置１０との間にネットワーク３１を介して音声通話ができるよう、それぞれにマイクとスピーカと音声通信を行う送受信部を設けることも好適である。その場合、危険情報を受信した係員は、様子を見に行ったり救急車の手配をする前に、センタ装置３３のマイクから送受信部とネットワーク３１を通して危険検知装置のスピーカーへ呼びかけを行って、状況を確認することができる。
【００３１】
さらに、危険検知装置１０の位置情報取得部１０１が取得した位置情報の３次元座標データを、危険検知装置１０の送信部からネットワーク３１を介してセンタ装置３３に送ることも好適である。これにより、介護センタ３２の係員は、対象人物が立っているか座っているか、動いているかとまっているか、といった状況を把握することができ、より正確に危険状態かどうかを判断することができる。
＜位置情報を用いた危険状態の判定の例＞
危険状態の判断に、垂直移動データと水平移動ベクトルのを用いた判定のほかに、対象人物の位置情報を利用した判定の例を説明する。位置情報取得部１０１は、図８ａ）に示す三次元座標データを停止位置認識部１０５へ送る。
【００３２】
一般に、頭部の位置が床面に近い場合は、転倒した可能性が高い。したがって、停止位置認識部１０５は、頭部の垂直座標がしきい値、たとえば５０ｃｍよりも小さい状態が所定の時間、たとえば１０秒以上経過した場合は、危険状態判定部１０６が危険状態と判断して、出力部１０７から危険情報を出力する。
【００３３】
さらに、対象人物が浴槽や壁に近接した領域で気を失った場合は、完全には転倒せずに壁や浴槽に寄りかかって気を失う可能性がある。その場合、頭部の位置がそれほど低くならない可能性がある。
【００３４】
したがって、停止位置認識部１０５は、まず計測点の三次元座標データのｘ、ｙ座標を、予め定めた寄りかかり領域と比較し、対象人物があらかじめ定められた寄りかかり領域にいるかどうか判断する。ここで寄りかかり領域とは、浴槽や壁に近接した領域であり、寄りかかり領域の例を図９ａ）に示す。図９ａ）において黒く塗りつぶした領域が寄りかかり領域であり、その外周部が壁、白い波線で示したのが浴槽である。
【００３５】
停止位置認識部１０５は、対象人物が寄りかかり領域にあると判断した場合、頭部の垂直座標にかかわらず頭部が所定の時間、たとえば６０秒以上経過した場合は、危険状態判定部１０６が危険状態と判断して、出力部１０７から危険情報を出力する。
【００３６】
逆に、対象人物が浴槽につかっている場合、ある程度の時間は動かない場合がある。そのため、停止位置認識部１０５は、領域テーブルに浴槽内の領域も記憶させておき、対象人物が浴槽内にいる場合は、前述の所定の時間を長くしてもよい。図９ｂ）に浴槽内の領域の例を示す。図９ｂ）において、波線で示した浴槽に対し、黒く塗りつぶした部分が、浴槽内の領域である。対象人物が浴槽に入っている場合、浴槽のやや外に頭部がある場合を配慮して、浴槽よりやや広く領域を設定している。停止位置認識部１０５は、対象人物が浴槽内にいると判断した場合、頭部の垂直座標にかかわらず頭部が所定の時間、たとえば１０分以上経過した場合は、危険状態判定部１０６が危険状態と判断して、出力部１０７から危険情報を出力する。このようにして危険状態を判定することにより、さらに正確に危険状態を判定することができる。
【００３７】
以上のように、本発明の危険検知装置は、対象人物の行動を、身体上部の高さ方向の位置情報のみでなく、身体上部の水平方向の動きの変化の状態により判定するので、座る動きと転倒を精度よく区別できるとともに、転倒して短時間で危険を検知することができる。
【符号の説明】
【００３８】
１０    危険検知装置
１０１  位置情報取得部
１０２  移動ベクトル算出部
１０３  反転検出部
１０４  下降検出部
１０５  停止位置認識部
１０６  危険状態判定部
１０７  出力部
【図５】
0005760905.tif 000002
【図１】
0005760905.tif 000003
【図２】
0005760905.tif 000004
【図３】
0005760905.tif 000005
【図４】
0005760905.tif 000006
【図６】
0005760905.tif 000007
【図７】
0005760905.tif 000008
【図８】
0005760905.tif 000009
【図９】
0005760905.tif 000010